(57)【特許請求の範囲】
【請求項１】
鉛筆の端部にストレート軸棒と軸に直角な肩部を形成するための器具であり、鉛筆を差し込んで回すためのガイド穴と、該ガイド穴の中心軸に対して略直角で且つ前記ストレート軸棒の半径の距離だけ軸心から離れた位置に切先が固定された平刃と、前記ガイド穴の入り口から見て前記平刃より僅かに深い位置に固定されるとともに削りくずを剥がすためのスクレパーとを備え、前記平刃に鉛筆の端部を押し当てながら回すことにより削りくずが発生し、該削りくずを前記スクレパーにより取り除いて前記ストレート軸棒及び前記肩部を形成することを特徴とする器具。
【請求項２】
鉛筆の端部にストレート軸棒と軸に直角な肩部と、該ストレート軸棒の先端部にテーパー部を形成するための器具であり、請求項１に記載した構成に加えて、前記と同一のガイド穴又は別に設けたガイド穴の中心軸に対してテーパーの半分の角度だけ傾斜して固定した平刃を更に備えたことを特徴とする器具。
【請求項３】
請求項２に記載した構成に加えて、鉛筆を差し込んで回すための別のガイド穴を設け、該ガイド穴の中心軸上に鉛筆側に突出して固定した先端部がテーパーで根本が平行なドリルの刃を備えたことを特徴とする器具。
【請求項４】
鉛筆端部の加工寸法が、テーパー部先端の直径が鉛筆の芯の直径より約０．５ｍｍ太く、テーパーの角度が約１５度で、テーパー部の長さが約６ｍｍで、ストレート軸棒の直径が鉛筆の芯の直径より約２ｍｍ太くなるように設定されていることを特徴とする請求項２に記載した器具。
【請求項５】
鉛筆端部に加工される穴の形状が、奥のテーパー穴径が鉛筆の芯の直径より約０．５ｍｍ太く、テーパーの角度が約１５度で、テーパー部の長さが約６ｍｍで、テーパー部の最大径及び入り口の平行な穴の直径が鉛筆の芯の直径より約２ｍｍ太くなるように設定されていることを特徴とする請求項３に記載した器具。
【発明の詳細な説明】
【技術分野】
【０００１】
本発明は継ぎ足して使える鉛筆の削り器に関するものである。
【背景技術】
【０００２】
鉛筆は短くなると文字が書きにくくなり、又鉛筆削り器にも入らなくなって使用できなくなり捨てられてしまっている。鉛筆を愛用する消費者は少しでも長く使いたいと鉛筆を保持させる補助具も工夫され使われている。しかしこうした補助具を使って鉛筆を長く使うにも限界があり結局短くなった鉛筆は捨てられているのが現状である。このような鉛筆の問題点を考慮して鉛筆を繋ぐ方法が開発されている。
【０００３】
例えば特許文献１には鉛筆の端部にテーパー付凹凸を設けて接続する方法が記載されているが、接続のための具体的な形状寸法が不明であり、また接続形状の形成方法を提供していない。
【０００４】
特許文献2には予め加工された肩付き円錐形状凹部と、刃物で加工した肩付き円錐形状凸部ををジョイントして使い切る点が記載されている。
接続部の形状と削り器具が示されているが接続部がすべてテーパー形で平行部が無いので、接着剤が固まる前の保持力が無く、安定して固定することはできない。また、穴の入り口が薄くなるので強度が不足し、割れやすいので加工も困難である。
さらに、既存の鉛筆にテーパー穴を加工する際には、穴が深いので削り取る量が多く、資源の無駄が多くなる。
【０００５】
特許文献3にはモーター又はハンドルに連動した旋回歯車を使用した刃で鉛筆接続用の凹凸を作る方法が記載されているが、主従歯車４個によって刃を回動させる大型器具となっている。しかも接続部の形状が単純な凹凸なので、普通に使用するのために接続した部分を削っていくときの木部の接続強度が不足し、先の短い側の鉛筆の芯を支えることができない形状となっている（この件については段落番号００２１で説明する）。
【特許文献１】実開平１−４６８５号公報
【特許文献２】特開２００７−２８３７３９号公報
【特許文献３】実開昭６３−６８４９７号公報
【発明の開示】
【発明が解決しようとする課題】
【０００６】
鉛筆は削る書く、削る書く、を繰り返して使用するが好みと筆圧の差により多少の違いはあるが１回削るごとに約１ｍｍ程度鉛筆は短くなる、普通の新しい鉛筆は約175ｍｍ前後あるので本来なら175回削って使えることになる、しかし実際は短くなって使用することができなくなる部分は約５ｃｍ〜８ｃｍになる。すなわち50回〜80回分鉛筆の約3分の1が短くなって使うことができない理由で捨てられている。言い換えれば鉛筆を買った代金の3分の1は捨てられていることになる。これは勿体無いというべきである。
【０００７】
本発明は、上記のような鉛筆の問題点と、鉛筆を繋ぐ技術に関する従来技術の問題点を解決し、鉛筆を繋ぐ部分の最適形状を提供し、この最適形状を加工可能な簡便で安価な継ぎ足し鉛筆削り器を提供することである。
【課題を解決するための手段】
【０００８】
本発明による鉛筆を接続する部分の凸部形状は、テーパー部先端の直径が鉛筆の芯の直径より約０．５ｍｍ太く、テーパーの角度が約１５度で、テーパー部の長さが約６ｍｍで、ストレート軸棒の直径が鉛筆の芯の直径より約２ｍｍ太く、ストレート軸棒の長さが約２ｍｍである。
凹部形状は上記凸部形状に対応する形状で、クリアランス分（約０．０５ｍｍ）だけ大きくした形状である。
【０００９】
上記形状を加工するための削り器は、本体に鉛筆を差し込んで回すガイド穴と、前記ガイド穴の出口裏面にストレート軸棒と肩部を形成するための平刃と、前記平刃と別位相に固定したスクレパーと、前記ストレート軸棒の先端側をテーパーに加工するために傾斜させて配置した別の平刃を備えており、さらに別に設けたガイド穴の軸心上に、鉛筆の端部に奥がテーパーで入り口が平行な凹部を形成する先端部がテーパーで根本が平行なドリル刃を備えている。
そして好ましくは、鉛筆を通常に削るための別のガイド穴と刃も備えている。
【００１０】
短くなって使うことができなくなった鉛筆を上記の器具により凹部を形成し、別の鉛筆の先端に上記の器具により凸部を形成し、前記鉛筆の凹部に挿入し接着剤で接合することにより略最後まで使うことができる。
【発明の効果】
【００１１】
本発明の接続形状にすることにより、以下の点が改善された。
（１）十分な接着強度が得られる
鉛筆の外径（六角２面幅約７ｍｍ、円形断面約φ７．５ｍｍ）に対し、ストレート穴がφ４（芯径φ２ｍｍの黒色鉛筆用）〜φ５（芯径φ３ｍｍの色鉛筆用）であり、穴入り口の厚さが１ｍｍ以上確保されるので割れにくく、肩部の接着力と、ストレート軸棒とテーパー部の曲げ強度が同時に働くので折れにくい。
（２）曲がらずに接続することができる
ストレート部が軽圧入になっているので、接着の際に別の手段で押さえる必要が無く、まっすぐに繋ぐことができる。
また、六角面を合わせることも容易にできる。
（３）繋ぎ目の部分を使用する際のトラブルを最小限にできる
テーパー部の角度を約１５度と、通常の電動鉛筆削り器の切削角度（１６〜２０度程度）より僅かに小さくすることにより、繋ぎ目を削った際にも芯を究極まで保持できるようになり、通常の芯折れ現象と同等の影響にすることができた。
この結果、電動鉛筆削り器で繋ぎ目を削っても芯詰まりのトラブルはほとんど発生しない。
尚、手動の簡易的な鉛筆削り器では切削角度は２０度より大きい場合が多いが、この場合も芯詰まりのトラブルは発生しない。
（４）資源の無駄を最小限にできる
上記（３）に記載したように、短くなった芯を究極まで保持できるので資源を有効に利用できる。また、接続の為の凹穴も深さが８ｍｍ程度なので最小限の削り量といえる。
【００１２】
本発明に係る鉛筆削り器具は、上記の最適な接続形状を簡単な構成で安定した加工ができるようにしたものである。
手加工なので小学校低学年の児童にでも安全で簡単に使用することができる。さらにこの加工を自分で行うことで３次元の立体加工を大人も子供も身近に体験することができる。そして物を作る楽しさと、限りある資源を大切にしよう、使い捨ては勿体無いと言う倹約の精神を醸成することにつながる。
【００１３】
以上のように、本発明に係る鉛筆削り器具を用いて継ぎ足して使える鉛筆を加工して接着剤で接合すると鉛筆は短くなっても次々と足して使用することが可能となり短くなっても捨てられることがなくなる。
【発明を実施するための最良の形態】
【００１４】
以下、本発明に係る実施形態について説明する。なお、以下に説明する実施形態は、黒色鉛筆（芯径２ｍｍ）を対象にした具体例であるから、種々の限定がなされているが、以下の説明において本発明を限定する旨明記されていない限りこれらの形態に限定されるものではない。  
【００１５】
図1及び図2は器具全体の斜視図を示している。鉛筆削り器1は鉛筆を差し込んで回すことができる穴3と、穴3から出た出口に肩部とストレート軸棒を形成するため該穴の中心軸に対して軸棒の太さ4ｍｍの２分の1である2ｍｍの間隔をあけた略直角の位置に平刃4が固定されている。
解り易くするため図３に拡大図を示す。前記平刃4を通過して形成されたストレート軸棒をテーパー状にするため、その先にテーパーの半分の角度だけ傾斜して固定した平刃８とストッパー６が配置されている。ストレート軸棒の太さは上述したように4ｍｍで長さは2ｍｍそしてテーパー部の長さは4ｍｍで先端の太さは2．5ｍｍで、得られる角度θは約１５度である。
【００１６】
図４はストレート軸棒を加工する方法を示している。
ガイド穴の中心軸に対して略直角で且つストレート軸棒の半径の距離（＝Ｄ／２）だけ軸心から離れた位置に切先が固定された平刃４に、鉛筆の端部に押し当てながら回すことにより、削りくず１７が発生し、この削りくず１７を取り除けばストレート軸棒になる。
この時、平刃より僅かに深い位置に削りくずを剥がすためのスクレパー５を固定しておくと、削ると同時に順次削りくずが剥がされるので都合がよい。
【００１７】
図５は、本発明による接続形状の凹部を加工するための器具を示している。ガイド穴３の中心軸上に鉛筆側に突出して固定した先端部がテーパーで根本が平行なドリル１４をピン１５で固定することにより、鉛筆を押しつけながら回転させることにより所定の凹部が形成される。
【００１８】
上記によって得られるストレート部２２とテーパー部２４の意味は大切で、ストレート部２２は凸と凹の軽圧入により接着材が固まるまでの接合が安定し、肩部２３がストッパーとして働くので挿入長さが安定しテーパー部２４を無理に押し込むことによる穴側の割れを防ぐことができる。
ストレート部２２と肩部２３とテーパー部２４は接合される鉛筆同士の木材部の接合面積が多くなり接合が強化される。
【００１９】
さらに接続された鉛筆を使用し続けて、接合部を通常の鉛筆削り器で削り通過させるときも、本発明の削り器で得たテーパーの角度θは、市販されている通常の鉛筆削り器の切削角度αよりやや小さめに設定してあるので、接着した鉛筆の木材同士は一体化されて境目はスムーズに削り通過することができる。
図６（Ｂ）に示すように境目は薄い円筒状になりながらも芯を支え、短くなった先の鉛筆の芯を最後約６ｍｍ〜１０ｍｍになる迄保持することができる。
又、逆方向に削った場合でも、図７（Ｄ）に示したように、芯を上記と同様の長さまで保持することができる。
【００２０】
上記６〜１０ｍｍ程度まで芯を支えることができれば、通常の繋いでない鉛筆を落下させた際に芯が折れる現象と大差はなく、使用中の違和感がないばかりか鉛筆削り器に芯が詰まる現象も起こらない。
過去、多くの試みが電動鉛筆削り器の芯詰まりを回避できずに挫折したことを考えると、本発明による形状が画期的な形状であると言える。
【００２１】
尚、従来の単純な凹凸形状で接続した場合に繋ぎ目を使用する際の問題点を図８にて説明すると、凹凸のどちらの方向から削っていっても、ストレート軸棒の先端径に鉛筆削りのテーパー面が一致した時点で分断されて接着面積が減少するので分離しやすく、この状態ではまだ芯に木部が相当量付着しているので、鉛筆削り器の内部に噛み込んでトラブルになりやすい。
【００２２】
また、鉛筆の切削角度と同じ角度で凹穴を加工する場合には、図９に示したように穴の入り口が薄くなって割れやすく、肩部の段付が無い場合には、例えば六角断面の鉛筆では端面が波打ってしまうという問題があり、任意の鉛筆に凹部を加工する際には、穴深さが深くなるので無駄になる部分が多くなり、接着する際には軸方向に押さえておかないと接着剤が固まる前に曲がってしまうという問題がある。
【００２３】
１１は鉛筆を通常に使用するための削り器のフレームで、鉛筆を差し込んで回す穴とテーパー状に削る固定された平刃１２が設置されている。  
【００２４】
一例として、長さ70ｍｍの使用して短くなった鉛筆を上記、肩部とストレートとテーパーを形成できる刃で構成された削り器に鉛筆を差し込み、押しながら回転させストッパーに当たるまで進めると約１０回転で目的の形状凸を得ることができた。また、凹部を形成するドリル刃１４で構成した穴に、別の新しい鉛筆の端部を差し込み、同じ要領で回転させると約１5回転で割れることなく目的の凹形を得ることができた。
凸部と凹部を木工用接着剤を塗布して接続し、通常の鉛筆と同じように使用して短くなった鉛筆は略最後まで使用することができた。
【００２５】
以上説明した実施形態では、鉛筆を押し込みながら加工するようになっているが鉛筆を固定してテーパーとストレート刃を回転させるようにしてもよい。
【図面の簡単な説明】
【００２６】
【図１】本発明に係る実施形態の裏面全体斜視図である
【図２】本発明に係る実施形態の正面斜視図である。
【図３】図1における肩部とストレート軸棒及びテーパー形成部の分解図である。
【図４】本発明に係る肩部とストレート軸棒の加工説明図である。
【図５】本発明に係るストレート穴とテーパー穴の加工説明図である。
【図６】本発明による加工形状で接続した鉛筆の使用状態の断面図である。
【図７】本発明による加工形状で接続した鉛筆を図６と逆方向に削った際の断面図である。
【図８】従来の接続形状（凹凸形）で接続した鉛筆の断面図である。
【図９】従来の接続形状（円錐形）で接続した鉛筆の断面図である。
【符号の説明】
【００２７】
１  器具本体
２  本体フレーム
３  鉛筆ガイド穴
４  平刃
５  スクレパー
６  ストッパー
７  テーパー部加工用フレーム
８  テーパー部加工用の刃
１１  通常の鉛筆削り器用フレーム
１２  通常の鉛筆削り器用の刃
１３  ドリル固定用フレーム
１４  ドリル
１５  ドリル固定ピン
１６  削りくずの排出穴
１７  平刃による削りくず
２０  鉛筆
２１  鉛筆の芯
２２  ストレート軸棒
２３  肩部
２４  テーパー部
ｄ０  テーパー部先端又はテーパー穴底面の直径
Ｄ    ストレート軸棒の直径
α    鉛筆の切削角度
θ    テーパー部の角度
【要約】
【課題】鉛筆を継ぎ足して使用するのに好適な接続形状を決定し、この形状が簡単に加工できる鉛筆削り器を提供することを目的とするものである。
【解決手段】  鉛筆を差し込んで回す穴3と穴の出口外側に肩部と円筒状のストレート軸を形成するため、該穴の中心軸に対して略直角に固定した平刃4と前記鉛筆を奥に押し回しながら進め前記4によって形成されたストレート軸棒の先端部分をテーパーに形成する刃８を配置する。台形状のドリル14は前記4及び８によって形成された棒状ストレート部と先端がテーパーの凸部と同型の凹部を形成する刃である。3の穴から鉛筆を差し込み押し込みながら回すことにより、鉛筆を継ぎ足して使えることができる円筒状の肩部と先端部にテーパーを形成した凹部が形成できる。
【選択図】図１【図１】
0004349589.tif 000002
【図２】
0004349589.tif 000003
【図３】
0004349589.tif 000004
【図４】
0004349589.tif 000005
【図５】
0004349589.tif 000006
【図６】
0004349589.tif 000007
【図７】
0004349589.tif 000008
【図８】
0004349589.tif 000009
【図９】
0004349589.tif 000010